(57)【要約】 【課題】  画素領域の角部でテクスチャーが発生しないようにし、透過率を向上させる液晶表示装置を提供する。【解決手段】  第１及び第２基板、第１基板と第２基板のうちいずれか一方の内面側に形成されている複数の共通電極、共通電極が形成されている基板と同一な基板の内面側に形成されている複数の画素電極、複数の共通電極を連結して横方向に形成されている共通電極線、複数の画素電極を連結して横方向に形成されている画素電極線、第１及び第２基板の間に注入されている液晶層を含み、共通電極及び画素電極と平行な基準軸と液晶の長軸がなす角度であるラビング角をα、共通電極と共通電極線がなす共通電極角をβ１、画素電極と画素電極線がなす画素電極連結角をβ２とする時、β１-９０°がαより大きく形成されており、β２-９０°がαより大きく形成されている液晶表示装置。【選択図】      図３
2004295129.tif 000002
【特許請求の範囲】
【請求項１】
第１及び第２基板と、
前記第１基板と前記第２基板のうちのいずれか一方の内面側に形成されている複数の共通電極と、
前記共通電極が形成されている基板と同一の基板の内面側に形成されている複数の画素電極と、
前記複数の共通電極を連結している共通電極線と、
前記複数の画素電極を連結している画素電極線、前記第１及び第２基板の間に注入されている液晶層と、
を含み、
前記共通電極及び画素電極と平行な基準軸と液晶の長軸がなす角であるラビング角をα、前記共通電極と前記共通電極線がなす共通電極連結角をβ１、前記画素電極と前記画素電極線がなす画素電極連結角をβ２とする時、β１-９０°がαより大きく形成されており、β２-９０°がαより大きく形成されている液晶表示装置。
【請求項２】
前記ラビング角は前記共通電極及び画素電極と平行な基準軸を基準として前記共通電極と前記共通電極線が連結される共通電極連結部方向に形成されており、前記基準軸を基準として前記画素電極と前記画素電極線が連結される画素電極連結部方向に形成されている請求項１に記載の液晶表示装置。
【請求項３】
第１及び第２基板と、
前記第１基板と前記第２基板のうちのいずれか一方の内面側に形成されていて少なくとも一部分が屈折している複数の共通電極と、
前記共通電極が形成されている基板と同一の基板の内面側に形成されていて少なくとも一部分が屈折している複数の画素電極と、
前記複数の共通電極を連結している共通電極線と、
前記複数の画素電極を連結している画素電極線と、
前記第１及び第２基板の間に注入されている液晶層と、
を含み、
屈折して傾斜した前記共通電極及び画素電極と平行する基準軸と液晶の長軸がなす角度である電極傾斜角をα、前記共通電極と前記共通電極線がなす共通電極連結角をβ１、前記画素電極と画素電極線がなす画素電極連結角をβ２とする時、β１-９０°がαより大きく形成されており、β２-９０°がαより大きく形成されている液晶表示装置。
【請求項４】
前記画素電極と前記共通電極は互いに交互に配置されており、屈折した部分を連結する線を基準として領域を分けるとき、同じ領域に含まれている前記画素電極の部分と前記共通電極の部分が互いに平行である請求項３に記載の液晶表示装置。
【請求項５】
前記電極傾斜角は前記共通電極及び画素電極と平行な基準軸を基準として前記共通電極と前記共通電極線が連結される共通電極連結部方向に形成されており、前記基準軸を基準として前記画素電極と前記画素電極線が連結される画素電極連結部方向に形成されている請求項４に記載の液晶表示装置。
【請求項６】
前記画素電極及び前記共通電極が１度屈折した領域の長さを屈折ピッチとする時、前記屈折ピッチは５０μｍ以上である請求項５に記載の液晶表示装置。
【発明の詳細な説明】
【技術分野】
【０００１】
本発明は液晶表示装置に関し、特に水平電界型液晶表示装置に関する。
【背景技術】
【０００２】
一般に液晶表示装置は、電極が形成されている上部及び下部表示板とその間に注入されている液晶物質から構成されている。このような液晶表示装置は、２つの表示板の間に注入されている液晶物質に電極を利用して電界を印加し、この電界の強さを調節して表示板を透過する光の量を調節することによって画像を表示する。
【０００３】
液晶に電界を印加するためには２つの電極が必要であるが、このうちの１つは各画素毎に別個で形成する画素電極であり、もう１つは全ての画素に共通的に形成されて基準となる電位が印加される基準電極である。
【０００４】
液晶表示装置としては、画素電極と基準電極とが各々異なる基板に形成されていて基板に対して垂直方向の電界を形成する垂直電界型と、２つの電極が全て同一の基板上に形成されていて基板に対して平行方向の電界を形成する水平電界型液晶表示装置がある。後者をＩＰＳ（Ｉｎ  Ｐｌａｎｅ  Ｓｗｉｔｃｈｉｎｇ）モード液晶表示装置とも称するが、ＩＰＳモードは広視野角の実現に有利なものと知られている。
【０００５】
しかし、このようなＩＰＳモードの場合、共通電極及び画素電極が重なる部分である画素領域の角部分で非正常ドメインであるテクスチャーが発生するため、透過率の低下をもたらすという問題がある。
【発明の開示】
【発明が解決しようとする課題】
【０００６】
本発明は前記問題を解決するためのものであって、画素領域の角部分でテクスチャーが発生しないようにし、透過率を向上させる液晶表示装置を提供することが目的である。
【課題を解決するための手段】
【０００７】
本発明の液晶表示装置は、第１及び第２基板、前記第１基板と前記第２基板とのうちいずれか一方の内面側に形成されている複数の共通電極、前記共通電極が形成されている基板と同一の基板の内面側に形成されている複数の画素電極、前記複数の共通電極を連結している共通電極線、前記複数の画素電極を連結している画素電極線、前記第１及び第２基板の間に注入されている液晶層を含み、前記共通電極及び画素電極と平行な基準軸と液晶の長軸がなす角度であるラビング角をα、前記共通電極と前記共通電極線とがなす共通電極連結角をβ１、前記画素電極と前記画素電極線とがなす画素電極連結角をβ２とする時、β１-９０°がαより大きく形成されており、β２-９０°がαより大きく形成されているのが好ましい。
【０００８】
また、前記ラビング角は前記共通電極及び画素電極と平行な基準軸を基準として前記共通電極と前記共通電極線が連結される共通電極連結部方向に形成されており、前記基準軸を基準として前記画素電極と前記画素電極線が連結される画素電極連結部方向に形成されているのが好ましい。
【０００９】
さらに、前記目的を達成するための本発明の液晶表示装置は、第１及び第２基板、前記第１基板と前記第２基板のうちのいずれか一方の内面側に形成されて少なくとも一部分が屈折している複数の共通電極、前記共通電極が形成されている基板と同一の基板の内面側に形成されていて少なくとも一部分が屈折している複数の画素電極、前記複数の共通電極を連結している共通電極線、前記複数の画素電極を連結している画素電極線、前記第１及び第２基板の間に注入されている液晶層を含み、屈折して傾斜した前記共通電極及び画素電極と平行な基準軸と液晶の長軸がなす角度である電極傾斜角をα、前記共通電極と前記共通電極線がなす共通電極連結角をβ１、前記画素電極と画素電極線がなす画素電極連結角をβ２とする時、β１-９０°がαより大きく形成されており、β２-９０°がαより大きく形成されるのが好ましい。
【００１０】
また、前記画素電極と前記共通電極は互いに交互に配置されており、屈折した部分を連結する線を基準として領域を分ける時、同じ領域に含まれている前記画素電極の部分と前記共通電極の部分は互いに平行であることが好ましい。
【００１１】
また、前記電極傾斜角は前記共通電極及び画素電極と平行な基準軸を基準として前記共通電極と前記共通電極線が連結される共通電極連結部方向に形成されており、前記基準軸を基準として前記画素電極と前記画素電極線が連結される画素電極連結部方向に形成されていることが好ましい。
【００１２】
また、前記画素電極及び前記共通電極が１度屈折した領域の長さを屈折ピッチとする時、前記屈折ピッチは５０μｍ以上であるのが好ましい。
【発明の効果】
【００１３】
本発明による液晶表示装置は、ＩＰＳモードやＳＩＰＳモードの液晶表示装置の画素電極連結部及び共通電極連結部でテクスチャーが発生しないので透過率の減少を防止できる。また、ＳＩＰＳモードの液晶表示装置では屈折ピッチを一定値以上に設定することによってテクスチャーの発生を抑制することができる。
【発明を実施するための最良の形態】
【００１４】
以下、添付した図面を参照して本発明による好ましい１実施例を詳細に説明する。
【００１５】
図面は、各種の層及び領域を明確に表現するために厚さを拡大して示している。明細書全体を通じて類似した部分については同一図面符号を付けている。層、膜、領域、板などの部分が他の部分の“上に”あるとする時、これは他の部分の“すぐ上に”ある場合に限らず、その中間に更に他の部分がある場合も含む。逆に、ある部分が他の部分の“すぐ上に”あるとする時は、中間に他の部分がないことを意味する。
【００１６】
図１は本発明の第１実施例による液晶表示装置の平面図を示しており、図２は図１のI-I’、II-II’に沿った断面図を示している。
【００１７】
図１及び図２に示すように、本発明の第１実施例による液晶表示装置は、第１基板である下部基板１１０と第２基板である上部基板２１０を含む。下部基板と上部基板との間には液晶層３が注入されている。
【００１８】
液晶層３を構成する液晶分子は、電界が形成されない初期状態で上部基板２１０及び下部基板１１０に平行に一方向に配列されている。液晶分子の配列方向は、液晶層３に電界を印加した時に生成される電場の方向と一定の角度をなすように配列されている。上部基板２１０及び下部基板１１０の外側面には各々偏光板２２、１２が取り付けられており、２つの偏光板２２、１２の透過軸が互いに直交するように構成されている。この時、下部基板１１０に取り付けられている偏光板１２を通過した光は、上部基板２１０、下部基板１１０に平行に一方向に配列されている液晶分子からなる液晶層３を通過しながらその偏光方向が変わらないため、上部基板２１０に取り付けられている偏光板２２により遮断されて暗状態（ｂｌａｃｋ  ｓｔａｔｅ）を表すことになる。一方、液晶層３の間に散布されているスペーサ（図示せず）によって上部及び下部基板２１０、１１０の間の間隔が適切に維持されている。
【００１９】
下部基板１１０上にはゲート電極１２３と全ての画素に共通した信号を印加する共通電極１３３が形成されており、その上をゲート絶縁膜１４０が覆っている。ゲート電極１２３上のゲート絶縁膜１４０の上には非晶質シリコンからなる半導体層１５０が形成されており、半導体層１５０の上にはゲート電極１２３を中心に両側にドーピングされた非晶質シリコンからなる抵抗性接触層１６３、１６５が形成されている。抵抗性接触層１６３、１６５上にはソース電極１７３及びドレーン電極１７５が各々形成されている。一方、画素領域のゲート絶縁膜１４０上には画素毎に異なる画像信号を印加する画素電極１９０が共通電極１３３の間に形成されている。ドレーン電極１７５は、画素電極１９０と連結されて画素電極１９０に画像信号を伝達する。ゲート電極１２３、ゲート絶縁膜１４０、半導体層１５０、抵抗性接触層１６３、１６５、ソース及びドレーン電極１７３、１７５は薄膜トランジスタをなし、薄膜トランジスタと画素電極１９０上には基板の全面において保護膜１８０が形成されている。
【００２０】
上部基板２１０には下部基板１１０の薄膜トランジスタが形成されている領域に対応する部分にブラックマトリックス２２０が形成されており、共通電極２７０と画素電極１９０が形成されている画素領域に対応する部分には色フィルター２３０が形成されている。
【００２１】
このような液晶表示装置において共通電極１３３と画素電極１９０に電圧を印加すると、２つの電極１３３、１９０の間に本質的に下部基板１１０、上部基板２１０に平行して２つの電極１３３、１９０に垂直である電場が生成され、この電場によって液晶層３の中央に位置した液晶分子の長軸が電場と平行に配列される。しかし、下部基板１１０、上部基板２１０付近の液晶分子は、配向力により初期状態を維持するために下部基板１１０、上部基板２１０から中央に至る領域の液晶分子は螺旋状で捩じれた構造を有する。この時、下部基板１１０に取り付けられた偏光板１２を通過した光は、螺旋状で捩じれた液晶分子からなる液晶層３を通過しながらその偏光方向が変わり、上部基板２１０に取り付けられた偏光板２２を通過することができるため、この時は明状態（ｗｈｉｔｅ  ｓｔａｔｅ）となる。
【００２２】
以下、本発明の第１実施例による液晶表示装置の共通電極及び画素電極の配置について詳細に説明する。
【００２３】
図１に示すように、下部基板１１０上にゲート配線１２１、１２３及び共通電極配線１３１、１３３が形成されている。ゲート配線１２１、１２３は、横方向に長く形成されているゲート線１２１、ゲート線１２１の一部分であるゲート電極１２３、ゲート線１２１の一端に形成されて外部信号の伝達を受けるゲート線の端部（図示せず）からなる。
【００２４】
共通電極配線は共通電極線１３１と共通電極１３３を含む。ここで、共通電極線１３１と共通電極１３３は、ゲート配線１２１、１２３と同一の層に形成されている。共通電極線１３１はゲート線１２１と平行になるように形成されている。そして、共通電極１３３はデータ線１７１と平行であり、共通電極線１３１と連結されて共通電極線１３１を電気的に連結する。
【００２５】
画素電極配線は画素電極線１９１と画素電極１９０を含む。画素電極線１９１は共通電極線１３１と平行するように形成されている。そして画素電極１９０は共通電極１３３と平行し、画素電極線１９１と連結されて画素電極線１９１を電気的に連結する。このような共通電極線１３１は、複数の共通電極１３３を連結して図１左右方向に形成されており、画素電極線１９１は複数の画素電極１９０を連結して図１左右方向に形成されている。
【００２６】
そして、図１に示すように、このような共通電極線１３１及び画素電極線１９１の側面ラインは傾斜して形成されている。
【００２７】
図３には共通電極１３３と共通電極線１３１の連結部である共通電極連結部を拡大して示しており、画素電極１９０と画素電極線１９１の連結部である画素電極連結部を拡大して示している。
【００２８】
図３に示すように、共通電極１３３と共通電極線１３１がなす共通電極連結角をβ１と定義し、画素電極１９０と画素電極線１９１がなす画素電極連結角をβ２と定義する。
【００２９】
そして、共通電極１３３及び画素電極１９０と平行な基準軸（Ｘ）と液晶の長軸（Ａ）がなす角度であるラビング角をαと定義すれば、β１-９０°がαより大きく形成されており、β２-９０°がαより大きく形成されているのが好ましい。この場合、もし共通電極連結角β１及び画素電極連結角β２が鋭角であれば、β１-９０°やβ２-９０°の値がマイナスとなり、プラス値であるαより大きくなることもなくなるため、共通電極連結角β１及び画素電極連結角β２は鈍角である必要がある。
【００３０】
そして、ラビング角αは共通電極１３３及び画素電極１９０と平行な基準軸Ｘを基準として共通電極１３３と共通電極線１３１が連結される共通電極連結部Ｂ１方向に形成されており、ラビング角αは基準軸Ｘを基準として画素電極１９０と画素電極線１９１が連結される画素電極連結部Ｂ２方向に形成されているのが好ましい。
【００３１】
前記のように、共通電極１３３及び共通電極線１３１の連結部Ｂ１と画素電極１９０及び画素電極の連結部Ｂ２の共通電極連結角β１及び画素電極連結角β２を設定すれば、画素領域の角部で電極構造上必ず発生していた電場の歪曲によるテクスチャーの発生を防止できる。
【００３２】
以下、詳細に説明する。図４ａ、図４ｂ、図５ａ及び図５ｂにはテクスチャーが発生する理由を説明した概念図が示されている。
【００３３】
図４ａに示すように、共通電極１３３及び画素電極１９０が互いに平行に配置されており、共通電極１３３及び画素電極１９０の間の電場Ｅが共通電極１３３及び画素電極１９０と垂直に形成されている。この場合に、液晶がラビングによる初期配向角αによって共通電極１３３及び画素電極１９０と傾斜して形成されている。したがって、図４ｂに示すように、電圧を印加した場合、初期配向角αによって初期回転方向が決定され、液晶は均一に同一の方向に回転する。したがって、画素領域にテクスチャーが発生しないので非正常ドメインが発生しない。
【００３４】
しかし、図５ａに示すように、共通電極１３３及び画素電極１９０の間での電場が共通電極１３３及び画素電極１９０と垂直に形成されており、液晶の初期配向方向が共通電極１３３及び画素電極１９０と同一の場合には、図５ｂに示すように、電圧を印加した場合に液晶は方向性なくランダムに回転する。したがって、互いに方向が異なる液晶の間ではテクスチャーＴが発生する。
【００３５】
つまり、電圧が印加された場合に隣接した液晶が同一の方向に回転する場合には液晶の間にテクスチャーが発生しないが、隣接した液晶が互いに異なる方向に回転する場合には液晶の間にテクスチャーが発生する。
【００３６】
特に共通電極１３３及び共通電極線１３１の連結部と画素電極１９０及び画素電極線１９１の連結部が存在する画素領域の角部では電極構造上電場の歪曲が生じる。したがって、歪曲された電場と液晶の初期配向角との関係によって電圧を印加する場合にテクスチャーが発生することがあり、これは透過率の低下をもたらす。このようなテクスチャーは非正常ドメインを形成する。
【００３７】
したがって、画素領域の角部でテクスチャーが発生しないようにするために、共通電極線１３１及び画素電極線１９１の側面ラインを傾斜して形成し、ラビング角αと共通電極連結角β１及び画素電極連結角β２の間の関係を前記したように設定する。
【００３８】
そして、共通電極１３３及び共通電極線１３１は同一の電位でなければならず、画素電極１９０及び画素電極線１９１は同一の電位である必要がある。
【００３９】
図３に示すように、共通電極連結角β１から９０°を引いた値がラビング角αより大きく形成されており、共通電極連結角β１から９０°を引いた値がマイナスにならないように共通電極連結角β１が鈍角である場合、そして、ラビング角αが共通電極１３３及び画素電極１９０と平行な基準軸Ｘを基準として共通電極１３３と共通電極線１３１が連結される共通電極連結部Ｂ１方向に形成されている場合に、全ての液晶は右側方向に回転する。つまり、全ての液晶が電場Ｅと液晶がなす角度が小さい方向に回転する。これについて図３を参照して詳細に説明する。
【００４０】
図３に示すように、初期液晶分子の長軸は基準軸（Ｘ）から時計回り方向に基準軸（Ｘ）と鋭角（α）をなす。そして、大部分の位置において液晶分子の初期配向方向と電場（Ｅ）とがなす角は、時計回り方向に鋭角である。したがって、液晶分子は右側に回転する。
【００４１】
この時、画素電極１９０（または共通電極１３３）と９０度の傾斜角をなしながら、左側から出発した電場（Ｅ）は左側から右側方向の上側に曲がり、最後に、共通電極線１３１（または画素電極線１９１）の側面ラインと９０度の傾斜角をなす。
【００４２】
共通電極線１３１（または画素電極線１９１）の側面ラインは、液晶分子の初期配向方向と鈍角をなすため、共通電極線１３１（または画素電極線１９１）の側面ラインの付近に位置する液晶分子の初期配向方向は、依然として電場（Ｅ）に対して時計回り方向に鋭角をなす。
【００４３】
したがって、共通電極線１３１（または画素電極線１９１）の側面ラインの付近に位置する液晶分子を含んで全ての液晶分子は、同一方向、つまり、右側方向に回転する。したがって、液晶間にテクスチャーが発生しない。
【００４４】
同様に、画素電極連結角β２から９０°を引いた値がラビング角αより大きく形成されており、画素電極連結角β２から９０°を引いた値がマイナスにならないように画素電極連結角β２が鈍角である場合、そして、ラビング角αが共通電極１３３及び画素電極１９０と平行な基準軸Ｘを基準として画素電極１９０と画素電極線１９１が連結される画素電極連結部Ｂ２方向に形成されている場合に、全ての液晶は右側方向に回転する。つまり、全ての液晶が電場Ｅと液晶がなす角度が小さい方向に回転する。したがって、液晶間にテクスチャーが発生しない。これについて図３を参照して詳細に説明する。
【００４５】
図３に示すように、初期液晶分子の長軸は基準軸（Ｘ）から時計回り方向に基準軸（Ｘ）と鋭角（α）をなす。そして、大部分の位置において液晶分子の初期配向方向と電場（Ｅ）とがなす角は、時計回り方向に鋭角である。したがって、液晶分子は右側に回転する。
【００４６】
この時、画素電極１９０（または共通電極１３３）と９０度の傾斜角をなしながら、左側から出発した電場（Ｅ）は左側から右側方向の上側に曲がり、最後に、共通電極線１３１（または画素電極線１９１）の側面ラインと９０度の傾斜角をなす。
【００４７】
共通電極線１３１（または画素電極線１９１）の側面ラインは、液晶分子の初期配向方向と鈍角をなすため、共通電極線１３１（または画素電極線１９１）の側面ラインの付近に位置する液晶分子の初期配向方向は、依然として電場（Ｅ）に対して時計回り方向に鋭角をなす。
【００４８】
したがって、共通電極線１３１（または画素電極線１９１）の側面ラインの付近に位置する液晶分子を含んで全ての液晶分子は、同一方向、つまり、右側方向に回転する。したがって、液晶間にテクスチャーが発生しない。
【００４９】
しかし、図６に示すように、ラビング角αが共通電極１３３及び画素電極１９０と平行な基準軸Ｘを基準としてラビング角αが共通電極１３３と共通電極線１３１が連結される共通電極連結部Ｂ１方向でない反対方向に形成されている場合には、液晶間の回転方向が位置によって互いに異なるようになる。したがって、回転方向が異なる液晶間にはテクスチャーが発生する。同様に、ラビング角αが共通電極１３３及び画素電極１９０と平行な基準軸Ｘを基準として、ラビング角αが画素電極１９０と画素電極線１９１が連結される画素電極連結部Ｂ２方向でない反対方向に形成されている場合には、液晶間の回転方向が位置によって互いに異なるようになる。したがって、回転方向が異なる液晶間にはテクスチャーが発生する。
【００５０】
そして、図７に示すように、共通電極連結角β及び画素電極連結角βが鋭角である場合にも液晶間の回転方向が位置によって互いに異なるようになる。
【００５１】
したがって、本発明の第１実施例による液晶表示装置のように、共通電極連結角β１から９０°を引いた値がラビング角αより大きく形成されており、共通電極連結角β１から９０°を引いた値がマイナスにならないように共通電極連結角β１が鈍角である場合、そして、ラビング角αが共通電極１３３及び画素電極１９０と平行な基準軸Ｘを基準として共通電極１３３と共通電極線１３１とが連結される共通電極連結部Ｂ１方向に形成されている場合に、液晶の間にテクスチャーが発生しない。画素電極１９０も同様である。
【００５２】
本発明の第２実施例による液晶表示装置が図８に示されている。ここで、前記の図面と同じ参照符号を付したものは同一の機能をする同じ部材を示す。
【００５３】
図８に示すように、複数の共通電極１３３は少なくとも一部分が屈折していて、複数の画素電極１９０は少なくとも一部分が屈折している。
【００５４】
共通電極線１３１は複数の共通電極１３３を連結して図８左右方向に形成されており、画素電極線１９１は複数の画素電極１９０を連結して図８左右方向に形成されている。画素電極１９０と共通電極１３３は互いに交互に配置されており、屈折した部分を連結する線を基準として領域を分けるとき、同じ領域に含まれている画素電極１９０の部分と前記共通電極１３３の部分は互いに平行に形成されている。このように、開口率を極大化するために一定の間隔で電極が屈折しており、データ線１７１がストライプ状で形成されている液晶表示装置をＳＩＰＳ（Ｓｕｐｅｒ  Ｉｎ  Ｐｌａｎｅ  Ｓｗｉｔｃｈｉｎｇ）モード液晶表示装置という。
【００５５】
屈折して傾斜した共通電極１３３及び画素電極１９０と平行する基準軸と液晶の長軸がなす角度である電極傾斜角をαと定義する。そして、共通電極１３３と前記共通電極線１３１がなす共通電極連結角をβ１、画素電極１９０と画素電極線１９１がなす画素電極連結角をβ２と定義する。
【００５６】
図９に示すように、β１-９０°がαより大きく形成されており、β２-９０°がαより大きく形成されているのが好ましい。共通電極連結角β１及び画素電極連結角β２が鋭角である場合は、β１-９０°やβ２-９０°がマイナス値となり、プラス値であるαより大きくなることがなくなるため、共通電極連結角β１及び画素電極連結角β２は鈍角である必要がある。
【００５７】
そして、電極傾斜角αは共通電極１３３及び画素電極１９０と平行な基準軸Ｘを基準として共通電極１３３と共通電極線１３１が連結される共通電極連結部Ｂ１方向に形成されており、基準軸Ｘを基準として画素電極１９０と画素電極線１９１が連結される画素電極連結部Ｂ２方向に形成されているのが好ましい。
【００５８】
さらに詳細に説明すれば、図９に示すように、共通電極連結角β１から９０°を引いた値が電極傾斜角αより大きく形成されており、共通電極連結角β１から９０°を引いた値がマイナスにならないように共通電極連結角β１が鈍角である場合、そして、ラビング角αが共通電極１３３及び画素電極１９０と平行な基準軸を基準として共通電極１３３と共通電極線１３１が連結される共通電極連結部Ｂ１方向に形成されている場合に、全ての液晶は左側方向に回転する。つまり、全ての液晶が電場と液晶がなす角度が小さい方向に回転する。したがって、液晶の間にテクスチャーが発生しない。
【００５９】
同様に、画素電極連結角β２から９０°を引いた値が電極傾斜角αより大きく形成されており、画素電極連結角β２から９０°を引いた値がマイナスにならないように画素電極連結角β２が鈍角である場合、そして、電極傾斜角αが共通電極１３３及び画素電極１９０と平行な基準軸Ｘを基準として画素電極１９０と画素電極線１９１が連結される画素電極連結部Ｂ２方向に形成されている場合に、全ての液晶は左側方向に回転する。つまり、全ての液晶が電場と液晶がなす角度が小さい方向に回転する。したがって、液晶の間にテクスチャーが発生しない。
【００６０】
一方、電極が屈折した領域に電圧が印加された時、このような領域では液晶の回転方向が反対になる２つの領域が接することになるのでテクスチャーが発生し、透過率の低下をもたらす。図８に示すように、画素電極１９０及び共通電極１３３が１度屈折した領域の長さを屈折ピッチＰとする時、このような現象は屈折ピッチＰが短いほど激しく発生する。したがって、屈折ピッチＰは所定の長さ以上で形成するのが好ましい。実験によれば、屈折ピッチＰが５０μｍ以下である場合にテクスチャーが発生するので、屈折ピッチＰは５０μｍ以上となる必要がある。
【００６１】
データ線１７１をストライプ状に維持し、シェブロン（ｃｈｅｖｒｏｎ）形態の電極構造を有する場合、屈折ピッチＰを制限することは非常に効果的である。
【００６２】
以上、本発明について添付の図面に示された１実施例を参考にして説明したが、これは本発明の例示的なものに過ぎず、当該技術分野の通常の知識を有する者であればこれによる様々な変形及び均等な他の実施例が可能であることが理解できるであろう。よって、本発明の真の技術的保護範囲は添付された特許請求の範囲の技術的思想によって決まらなければならない。
【図面の簡単な説明】
【００６３】
【図１】本発明の第１実施例による液晶表示装置の平面図である。
【図２】図１のI-I’、II-II’線に沿った断面図である。
【図３】本発明の第１実施例による液晶表示装置の画素領域の角部を一部拡大したものである。
【図４ａ】液晶の回転を説明した概念図であって、液晶が同一の方向に回転することを示す。
【図４ｂ】液晶の回転を説明した概念図であって、液晶が同一の方向に回転することを示す。
【図５ａ】テクスチャーが発生する理由を説明した概念図であって、液晶が互いに異なる方向に回転することを示す。
【図５ｂ】テクスチャーが発生する理由を説明した概念図であって、液晶が互いに異なる方向に回転することを示す。
【図６】テクスチャーが発生する電極構造を例示したものである。
【図７】テクスチャーが発生する電極構造を例示したものである。
【図８】本発明の第２実施例による液晶表示装置の平面図である。
【図９】本発明の第２実施例による液晶表示装置の画素領域の角部を一部拡大したものである。
【符号の説明】
【００６４】
１３１  共通電極線
１３３  共通電極
１９０  画素電極
１９１  画素電極線
【図１】
2004295129.tif 000003
【図２】
2004295129.tif 000004
【図３】
2004295129.tif 000005
【図４ａ】
2004295129.tif 000006
【図４ｂ】
2004295129.tif 000007
【図５ａ】
2004295129.tif 000008
【図５ｂ】
2004295129.tif 000009
【図６】
2004295129.tif 000010
【図７】
2004295129.tif 000011
【図８】
2004295129.tif 000012
【図９】
2004295129.tif 000013